(57)【特許請求の範囲】
【請求項１】
カメラ本体に取り付けられる固定部材と、
前記固定部材上において撮影レンズを保持した状態で前記撮影レンズの光軸方向に移動可能に設けられた移動枠と、
前記固定部材によって前記光軸を中心にして回転可能に保持され、回転することで前記移動枠を前記光軸方向に移動させる駆動環と、
前記駆動環を回転駆動する駆動手段と、
前記駆動環に設けられたストッパ部と、
前記ストッパ部の移動軌跡上に位置する規制位置と前記移動軌跡から離れた非規制位置との間を移動可能に設けられた作動板とを備え、
前記作動板が前記規制位置に位置した状態で前記駆動環が回転されたときに前記ストッパ部が前記作動板に当接して前記駆動環の回転限界位置を規制することで前記撮影レンズの焦点距離の調整範囲を限定するように構成されたＡＦカメラのフォーカスリミッタ装置において、
前記ストッパ部に前記作動板が当接した状態で前記作動板を前記規制位置から前記非規制位置に移動させる際に、前記当接箇所と前記ストッパ部の間に作用する摩擦力を軽減する摩擦力軽減手段を設け、
前記作動板がストッパ部に当接する当接箇所に、前記規制位置側に位置する作動板部分が前記非規制位置側に位置する作動板部分よりも前記駆動環の回転限界位置を大きく取れるように傾斜した傾斜部が形成され、
前記摩擦力軽減手段は前記傾斜部から構成されている、
ことを特徴とするＡＦカメラのフォーカスリミッタ装置。
【請求項２】
前記固定部材に保持された直進環を有し、前記移動枠の外周面には前記光軸と直交する方向に延在する軸回りに回転可能に設けられたローラが固定され、前記直進環には、前記光軸と平行方向に延在する第１ガイド溝が形成され、前記駆動環には、前記光軸を中心にしてらせん状に形成された第２ガイド溝が形成され、前記ローラは前記第１、第２ガイド溝に挿通され、前記移動枠の保持は前記直進環によって行われ、前記駆動環の回転により前記第１、第２ガイド溝が前記光軸を中心にして相対的に移動することで前記移動枠が前記光軸方向に移動するように構成されていることを特徴とする請求項１記載のＡＦカメラのフォーカスリミッタ装置。
【請求項３】
前記固定部材は、前記作動板の移動方向に延在する長孔を有し、前記長孔には、前記作動板に設けられたガイドピンが挿通され、前記作動板は、前記ガイドピンが前記長孔の長手方向の２つの縁部に当接することで前記規制位置と前記非規制位置に位置決めされるように構成されていることを特徴とする請求項１または２記載のＡＦカメラのフォーカスリミッタ装置。
【請求項４】
操作部材と伝動部材を有し、前記操作部材は、前記作動板の移動方向と平行方向に移動可能に設けられ、前記伝動部材は、前記操作部材が移動されたときに、前記作動板を前記操作部材の移動方向と反対方向に移動させるように構成されていることを特徴とする請求項１乃至３に何れか１項記載のＡＦカメラのフォーカスリミッタ装置。
【請求項５】
前記伝動部材は、回転可能に設けられたアイドルギアから構成され、前記操作部材には第１ラックが設けられ、前記作動板には第２ラックが設けられ、前記アイドルギアは前記第１、第２ラックと噛合するように構成されていることを特徴とする請求項４記載のＡＦカメラのフォーカスリミッタ装置。
【発明の詳細な説明】
【０００１】
【発明の属する技術分野】
本発明は自動焦点調整機能を備えたＡＦカメラのフォーカスリミッタ装置に関する。
【０００２】
【従来の技術】
焦点調整を自動的に行うＡＦカメラにおいては、例えばレリーズボタンを半押しすることによって測距動作が起動され、測距結果に基づいて撮影レンズを移動させるＡＦ用モータが駆動され撮影レンズの合焦動作が行われる。撮影レンズの合焦動作が完了した時点でレリーズボタンを全押しすることでシャッタが切られて撮影動作が完了する。
このようなＡＦカメラにおいては、例えば、撮影しようとする被写体がファインダの中央部に設定されている測距エリアにない場合、不用意にレリーズボタンを半押ししてしまうと、ファインダの中央部にある上記被写体以外の物体に対して測距動作が実行されてしまい、撮影しようとする被写体に対する合焦動作をすばやく行うことができないという問題が生じる。
このような撮影者の意図しない物体に対して測距動作が行われてしまうという問題を解消するため、従来は、フォーカスリミッタ装置によって撮影レンズの焦点距離の調整範囲を無限大距離端と中間箇所（近距離端と無限大距離端の間の所定箇所）の間、または近距離端と中間箇所の間に限定している。このようにフォーカスリミッタ装置によって撮影レンズの焦点距離の調整範囲を限定することで、撮影レンズの移動時間を短縮して意図する被写体に対する合焦動作を短時間で行うことが可能となる。
上記フォーカスリミッタ装置は、例えば、撮影レンズを移動させるためのＡＦ用モータによって回転駆動される移動環にストッパ部を設け、このストッパ部の移動軌跡と直交する方向に移動可能に設けられた作動板を設け、作動板を、作動板がストッパ部の移動軌跡上に位置する規制位置と、移動軌跡から離れた非規制位置との間を移動可能に設けて構成されている。そして、作動板が規制位置に位置した状態でストッパ部が作動板に当接したことを検知すると、ＡＦ用モータを停止させて距離環の回転を停止させている。すなわち、駆動環の回転限界位置を規制することで撮影レンズの焦点距離の調整範囲を限定するように構成されている。
【０００３】
【発明が解決しようとする課題】
上述した合焦動作に伴って回転駆動される距離環に設けられたストッパ部が作動板に当接することで撮影レンズの移動範囲を限定する従来のフォーカスリミッタ装置では次のような問題があった。
作動板の移動方向は、ストッパ部の移動軌跡と直交する方向であり、ストッパ部は作動板の長手方向に沿った側縁に当接する。
このため、ストッパ部が作動板に当接して距離環の回転が停止した状態では、ストッパ部と作動板との間に強い摩擦力が作用したままとなる。したがって、作動板を規制位置から非規制位置に移動させるときには上記摩擦力に抗した力が必要となり、フォーカスリミッタ装置の操作を円滑に行うことができなくなるおそれがある。
本発明は前記事情に鑑み案出されたものであって、本発明の目的は、操作性を改善したカメラのフォーカスリミッタ装置を提供することにある。
【０００４】
【課題を解決するための手段】
前記目的を達成するため、本発明は、カメラ本体に取り付けられる固定部材と、前記固定部材上において撮影レンズを保持した状態で前記撮影レンズの光軸方向に移動可能に設けられた移動枠と、前記固定部材によって前記光軸を中心にして回転可能に保持され、回転することで前記移動枠を前記光軸方向に移動させる駆動環と、前記駆動環を回転駆動する駆動手段と、前記駆動環に設けられたストッパ部と、前記ストッパ部の移動軌跡上に位置する規制位置と前記移動軌跡から離れた非規制位置との間を移動可能に設けられた作動板とを備え、前記作動板が前記規制位置に位置した状態で前記駆動環が回転されたときに前記ストッパ部が前記作動板に当接して前記駆動環の回転限界位置を規制することで前記撮影レンズの焦点距離の調整範囲を限定するように構成されたＡＦカメラのフォーカスリミッタ装置において、前記ストッパ部に前記作動板が当接した状態で前記作動板を前記規制位置から前記非規制位置に移動させる際に、前記当接箇所と前記ストッパ部の間に作用する摩擦力を軽減する摩擦力軽減手段を設け、前記作動板がストッパ部に当接する当接箇所に、前記規制位置側に位置する作動板部分が前記非規制位置側に位置する作動板部分よりも前記駆動環の回転限界位置を大きく取れるように傾斜した傾斜部が形成され、前記摩擦力軽減手段は前記傾斜部から構成されていることを特徴とする。
【０００５】
【発明の実施の形態】
以下、本発明の実施の形態を図面を参照して説明する。
図１は本実施の形態のカメラのフォーカスリミッタ装置を光軸に沿った断面から見た状態を示す説明図であり、図３のＤＤ線断面からみた状態を示している。図２は図１を矢視Ａ方向からみた状態を示す要部説明図、図３は図２をＢＢ線断面からみた状態とＣＣ線断面からみた状態を併せて示す説明図、図４は制御系の構成を示すブロック図、図５は実施の形態におけるフォーカスリミッタ装置の動作フローチャートである。
【０００６】
まず、図１乃至図３を参照して全体構成について説明する。
フォーカスリミッタ装置１０００は、バヨネット環１００、継環１１０、直進環１２０、駆動環１３０、距離環１４０、移動枠１５０、駆動ギア１６０、作動板１７０、操作部材１８０、アイドルギア１９０、撮影レンズ群２００などを備えて構成されている。
バヨネット環１００、継環１１０、直進環１２０、駆動環１３０、距離環１４０、移動枠１５０は、撮影レンズ群３００の光軸Ｌを中心にして同心状に配設されている。
【０００７】
バヨネット環１００（特許請求の範囲の固定部材に相当）は、円筒壁部１０１を有してなり、円筒壁部１０１の一端部に取付部１０２が設けられている。取付部１０２は、図略のカメラ本体の前面ほぼ中央部に配設されているマウント部に差し込まれた状態で、バヨネット環１００を後述する撮影レンズ群２００の光軸Ｌの周方向に回すことで上記マウント部と着脱可能となるように構成されている。
バヨネット環１００の円筒壁部１０１には、バヨネット環１００の軸方向の中央からやや他端部寄りの箇所に、後述する作動板１７０をその長手方向に移動可能に案内するための長孔１０３が光軸Ｌと平行方向に延在するように設けられている。
【０００８】
継環１１０（特許請求の範囲の固定部材に相当）は、バヨネット環１００の内側に配設された円筒壁部１１１を有してなり、円筒壁部１１１の一端部の外周面１１２がバヨネット環１００の円筒壁部１０１の一端部の内周面１０４に固定されており、円筒壁部１１１の他端部から光軸Ｌに向かって延在する環状壁部１１３には、駆動ギア１６０の支軸を構成するジョイント軸１６１を回転可能に支持する軸受１１４が形成されている。ジョイント軸１６１の駆動ギア１６０と反対側の端部に設けられた連結部１６２は、図略の伝動機構と連結され、この伝動機構を介してＡＦ用モータ３２０（図４に示す）の駆動軸からの回転駆動力が伝達されるように構成されている。
継環１１０の環状壁部１１３には取付部１１３Ａが設けられている。
【０００９】
直進環１２０は、バヨネット環１００の内側に配設された円筒壁部１２１を有してなり、円筒壁部１２１の一端部から光軸Ｌに向かって延在する環状壁部１２２には取付部１２２Ａが設けられている。この取付部１２２Ａが継環１１０の取付部１１３Ａに取り付けられることで直進環１２０は継環１１０に固定される。すなわち、バヨネット軸１００、継環１１０、直進環１２０はカメラ本体のマウント部に対して一体的に保持されている。
直進環１２０の円筒壁部１２１には、その長手方向に光軸Ｌと平行方向に延在する第１ガイド溝１２３が円筒壁部１２１を貫通して形成されている。
【００１０】
駆動環１３０は、バヨネット環１００と直進環１２０との間に配設された円筒壁部１３１を有してなり、この円筒壁部１３１は、その内周面が直進環１２０の円筒壁部１２１の外周面によって支持されることで、光軸Ｌを中心にして回転可能に構成されている。
駆動環１３０の円筒壁部１３１の一端部から光軸Ｌに向かって延在する環状壁部１３２の内周部には、駆動ギア１６０と噛合するラック１３２Ａが形成されており、駆動ギア１６０の回転駆動力が駆動環１３０に伝動されるように構成されている。
駆動環１３０の円筒壁部１３１の内周面には、光軸Ｌを中心としたらせん状を呈する第２ガイド溝１３３が形成されている。
【００１１】
距離環１４０は、バヨネット環１００の外側に配設された円筒壁部１４１を有してなり、円筒壁部１４１の一端部の内側の箇所から光軸Ｌに向かって延在する環状壁部１４２が設けられている。
この環状壁部１４２が駆動環１３０の円筒壁部１３１の他端部の外側に設けられた環状壁部１３４に取り付けられることで、距離環１４０は駆動環１３０に対して一体的に固定されている。
この距離環１４０は、その外周面に焦点距離を示す数字や記号などの指標が表示されており、手動モードの場合には、この距離環１４０を手動で回転操作することによって焦点調整を行うことができるようになっている。
【００１２】
移動枠１５０は、直進環１２０の内側に配設された円筒壁部１５１を有してなり、円筒壁部１５１の内側には、別の円筒壁部１５２が配設され、円筒壁部１５１の内側と円筒壁部１５２の一端部の間は環状の接続壁部１５３によって接続されている。そして、移動枠１５０の円筒壁部１５１の内側面１５４と、接続壁部１５３と、円筒壁部１５２とによって撮影レンズ群（特許請求の範囲の撮影レンズに相当）２００が保持されている。
また、移動枠１５０の円筒壁部１５１の一端部の外側には、光軸Ｌと直交する方向に延在するローラ軸１５５が設けられ、このローラ軸１５５によってローラ１５６が円筒壁部１５１の一端部の外側の箇所において回転可能に支持されている。
【００１３】
ローラ１５６は、直進環１２０の第１ガイド溝１２３と駆動環１３０の第２ガイド溝１３３とに挿通された状態で配設されている。したがって、ローラ１５６は、光軸Ｌと平行方向に直線状に形成された第１ガイド溝１２３と光軸Ｌを中心にしてらせん状に形成された第２ガイド溝１３３の双方に同時に案内されて移動するようになっている。
すなわち、ローラ１５６は、駆動枠１３０が光軸Ｌの周方向に回転駆動されると、ローラ１５６は、第２ガイド溝１３３から力を受けることによって第１ガイド溝１２３に沿って移動する。換言すれば、駆動環１３０の回転により第１、第２ガイド溝１２３、１３３が光軸Ｌを中心にして相対的に移動することで移動枠１５０が光軸Ｌ方向に移動するように構成されている。
この結果、ローラ軸１５５を固定する移動枠１５０は、光軸Ｌの周方向には回転せず光軸Ｌに沿って移動されるようになっている。
【００１４】
また、駆動環１３０の円筒壁部１３１の外側には、円盤状のストッパ部１３５が突設されている。
駆動環１３０の円筒壁部１３１とバヨネット枠１００の円筒壁部１０１との間には、平面視短冊状の作動板１７０が光軸Ｌと平行方向に延在して配設されている。
作動板１７０には、その中間部とカメラ本体から遠い方の一端部との間にガイドピン１７１がバヨネット環１００に設けられた長孔１０３に挿通されるように突設されている。
したがって、作動板１７０は、ガイドピン１７１が長孔１０３によって長孔１０３の長手方向、すなわち光軸Ｌと平行方向に移動可能に案内されている。
また、長孔１０３には、カメラ本体に近い側の第１縁部１０３Ａと遠い側の第２縁部１０３Ｂが設けられている。
作動板１７０の一端部には、駆動環１３０のストッパ部１３５に当接する当接箇所１７２、１７３が形成されている。
【００１５】
図２において、作動板１７０が左方向に移動してガイドピン１７１が第２縁部１０３Ｂに当接したとき、すなわち作動板１７０が規制位置に位置したとき、作動板１７０の当接箇所１７２、１７３がストッパ部１３５の移動軌跡上に位置するように構成されている。
また、作動板１７０が右方向に移動してガイドピン１７１が第１縁部１０３Ａに当接したとき、すなわち作動板１７０が非規制位置に位置したとき、作動板１７０の当接箇所１７２、１７３がストッパ部１３５の移動軌跡上から離れるように構成されている。
また、図２では、当接箇所１７２、１７３がストッパ部１３５の移動軌跡に対して傾斜するように構成された例を示している。すなわち、作動板１７０がストッパ部１３５に当接する当接箇所１７２、１７３には、規制位置側に位置する作動板１７０の部分が非規制位置側に位置する作動板１７０の部分よりも駆動環１３０の回転限界位置を大きく取れるように傾斜した傾斜部１７２Ａ、１７３Ａが形成されている。
【００１６】
なお、図２に示す例では、ストッパ部１３５が同図で上向きに回転移動することが撮影レンズ群２００が近距離側に移動する状態に対応し、ストッパ部１３５が同図で下向きに回転移動することが撮影レンズ群２００が無限大距離側に移動する状態に対応している。
また、駆動環１３０の回転範囲は、撮影レンズ群２００の焦点距離の近距離端から無限大距離端までに対応しており、作動板１７０の当接箇所１７２、１７３は、上記駆動環１３０の回転範囲の中間箇所、すなわち撮影レンズ群２００の焦点距離の近距離端から無限大距離端までの中間箇所に対応した位置に設定されている。
【００１７】
操作部材１８０は、作動板１７０の非規制位置側の他端部の近傍において、バヨネット環１００に設けられたガイド溝１０５（図３にのみ示す）よって該ガイド溝１０５を介してバヨネット環１００の円筒壁部１０１の外側に臨んだ状態で光軸Ｌと平行方向に移動可能に支持されている。
操作部材１８０には、ラック板１８１が固定され、ラック板１８１の作動板１７０に臨む側縁部にはラック１８２（特許請求の範囲の第１ラック）が形成されている。一方、作動板１７０のラック板１８１に臨む側縁部にはラック１７４（特許請求の範囲の第２ラックに相当）が形成されている。そして、これら２つのラック１７４、１８２に噛合するアイドルギア１９０（特許請求の範囲の伝動部材に相当）がバヨネット環１００の円筒壁部１０１に回転可能に支持されている。
したがって、操作部材１８０を光軸Ｌに沿ってスライド移動させると、アイドルギア１９０が回転し、その回転が作動板１７０に伝達されることで、作動板１７０は操作部材１８０のスライド方向と反対方向にスライド移動するように構成されている。
【００１８】
次に、図４を参照して制御系の構成について説明する。
制御系は、制御部３００、モータ駆動部３１０、ＡＦ用モータ３２０（特許請求の範囲の駆動手段に相当）、回転検知部３３０（特許請求の範囲の検知信号生成部に相当）などを備えて構成されている。
モータ駆動部３１０は、ＡＦ用モータ３２０に駆動信号を供給することでＡＦ用モータ３２０を回転させるように構成されている。
ＡＦ用モータ３２０は、前述したように図略の伝動機構を介してジョイント軸１６１に回転駆動力を与えるものである。
【００１９】
回転検知部３３０は、ＡＦ用モータ３２０の回転状態を検知するためのものであり、例えばＡＦ用モータ３２０の駆動軸に設けられスリットが開設された円板状のスリット板と、上記スリットの有無を検知する光検知器とを備えて構成されている。
ＡＦ用モータ３２０が回転している場合には、スリット板の回転に応じて光検知器がスリットの通過を検知してパルス状の検知信号を出力するが、ＡＦ用モータ３２０が停止している場合には、光検知器はスリットの通過を検知しないので、検知信号を出力しない。すなわち、回転検知部３３０は、ＡＦ用モータ３２０の回転、停止の状態に対応して検知信号を出力するように構成されている。
【００２０】
制御部３００は、マイクロコンピュータなどによって構成されており、モータ駆動部３１０を制御してＡＦ用モータ３２０の回転を制御するように構成されている。また、制御部３００は、回転検知部３３０から入力される検知信号によってＡＦ用モータ３２０の回転、停止の状態を判断するように構成されている。
【００２１】
次に、上述の構成による動作について図１乃至図４と図５のフローチャートを参照して説明する。
まず、操作部材１８０がガイド溝１０５に沿ってカメラ本体側から離間する方向に移動され作動板１７０が非規制位置に位置した状態で撮影を行う場合について説明する。
この際、撮影レンズ群２００は、初期位置としての近距離端に位置しているものとする。
【００２２】
この状態で、図略のレリーズボタンが半押しされ測距動作が起動されると、制御部３００は、モータ駆動部３１０に制御信号を与えてＡＦ用モータ３２０を駆動する。ＡＦ用モータ３２０の駆動軸から伝動機構に伝達された回転駆動力は、ジョイント軸１６１、駆動ギア１６０、駆動環１３０のラック１３２Ａという経路で伝達され、駆動環１３０が回転することにより撮影レンズ群３００を保持する移動枠１５０が光軸Ｌに沿って移動され、被写体に対する合焦動作が行われる（Ｓ１）。
そして、制御部３００は、回転検知部３３０から入力される検知信号（パルス状の信号）が一定時間以内に入力したか否かに基いてＡＦ用モータ３２０の回転が停止したか否かを判定する（Ｓ２）。
ステップＳ２の判定結果が否定であれば、ステップＳ１の処理が繰り返して行われ、被写体に対する合焦動作が行われる。
次いで、レリーズボタンが全押しされてシャッターが切られると撮影が行われる。
【００２３】
一方、ステップＳ２の判定結果が肯定であれば、撮影レンズ群２００が近距離端または無限大距離端の何れかに到達して駆動環１３０と移動枠１５０の移動が停止したことを示している。
【００２４】
ここで、制御部３００は、ＡＦ用モータ３２０の駆動をいったん停止し（Ｓ３）、次いでＡＦ用モータ３２０をそれまでの回転方向と逆方向に所定量だけ回転させて停止する（Ｓ４）。これにより、駆動環１３０と移動枠１５０は、近距離端または無限大距離端から所定量離間した位置で停止されることによって、ＡＦ用モータ３２０の回転駆動力を伝達する伝動機構に含まれているクラッチを切りやすくなるという効果が生じるが、本発明と直接関わらないため、詳細な説明は割愛する。
【００２５】
上述の動作では、作動板１７０が非規制位置にあるため、駆動環１３０のストッパ部１３５は、作動板１７０の当接箇所１７２、１７３に当接することがない。したがって、駆動枠１３０の回転限界位置は近距離端または無限大距離端で規制されることになり、移動枠１５０は、撮影レンズ群２００の焦点距離が近距離端または無限大距離端に到達するまで移動可能である。
【００２６】
次に、操作部材１８０がガイド溝１０５に沿ってカメラ本体側に近接する方向に移動され作動板１７０が規制位置にある状態で撮影を行う場合について説明する。
この際も、撮影レンズ群２００は、初期位置としての近距離端に位置しているものとする。
ステップＳ１、Ｓ２の動作は上述したのと同様である。
【００２７】
ここで、図２に示されているように、駆動環１３０のストッパ部１３５が作動板１７０の当接箇所１７３に当接することで、駆動環１３０が停止すると、ステップＳ２の判定結果が肯定となり、ＡＦ用モータの駆動がいったん停止される（Ｓ３）。
次いでＡＦ用モータ３２０をそれまでの回転方向と逆方向に所定量だけ回転させて停止する（Ｓ４）。これにより、駆動環１３０のストッパ部１３５は、作動板１７０の当接箇所１７３から所定量離間した位置で停止されるようになっている。
ここでは、ステップＳ３、Ｓ４の動作によって、ストッパ部１３５と当接箇所１７３との間が離間するため、ストッパ部１３５と当接箇所１７３との間に作用する摩擦力がなくなり、作動板１７０を非規制位置に移動させるために必要な操作力が少なくて済むという効果がある。
【００２８】
上述の動作では、作動板１７０が規制位置にあるため、駆動環１３０のストッパ部１３５が作動板１７０の当接箇所１７３に当接する。したがって、駆動環１３０の回転限界位置が規制され、移動枠１５０の移動可能範囲、すなわち撮影レンズ群２００の焦点距離の調整範囲は、近距離端から駆動環１３０の回転限界位置位置までの間に限定される。
なお、上述の動作では、移動枠１５０の移動範囲を近距離端から駆動環１３０の回転限界位置までの間としたが、移動枠１５０の移動範囲を無限大距離端から駆動環１３０の回転限界位置までとすることもできる。この場合には、撮影レンズ群２００は、初期位置としての無限大距離端に位置するようにすると共に、駆動環１３０のストッパ部１３５が作動板１７０の当接箇所１７２に当接することで、駆動環１３０の回転限界位置が規制されるように構成すればよい。
【００２９】
なお、本実施の形態では、ストッパ部１３５が作動板１７０の当接箇所１７２、１７３に当接してからストッパ部１３５を当接箇所１７２、１７３から離間させるようにＡＦ用モータ３２０を駆動制御するため、ストッパ部１３５と当接箇所１７３との間に作用する摩擦力がなくなり、作動板１７０を非規制位置に移動させるために必要な操作力が少なくて済むという効果がある。
【００３０】
また、前述したように、作動板１７０がストッパ部１３５に当接する当接箇所１７２、１７３には、規制位置側に位置する作動板１７０の部分が非規制位置側に位置する作動板１７０の部分よりも駆動環１３０の回転限界位置を大きく取れるように傾斜した傾斜部１７２Ａ、１７３Ａが形成されている（図２）。
したがって、作動板１７０が規制位置に位置しているときに、ストッパ部１３５が傾斜部１７２Ａ、１７３Ａに当接し、その状態で駆動環１３０が停止したとしても、作動板１７０の当接箇所１７２、１７３には傾斜部１７２Ａ、１７３Ａが形成されているので、ストッパ部１３５と作動板１７０の当接箇所１７２、１７３との間に作用する摩擦力はほとんど発生することがない。したがって、作動板１７０を非規制位置に移動させるために必要な操作力が少なくて済むという効果がある。
すなわち、上記作動板１７０の当接箇所１７２、１７３の傾斜部１７２Ａ、１７３Ａによって特許請求の範囲の摩擦力軽減手段が構成されている。
【００３１】
したがって、作動板１７０の当接箇所１７２、１７３に傾斜部１７２Ａ、１７３Ａを形成した場合には、ストッパ部１３５が作動板１７０に当接した後、ＡＦ用モータ３２０を駆動制御してストッパ部１３５を作動板１７０から離間する方向に移動させなくてもかまわない。
また、ストッパ部１３５が作動板１７０に当接した後、ＡＦ用モータ３２０を駆動制御してストッパ部１３５を作動板１７０から離間する方向に移動させるように構成した場合には、作動板１７０の当接箇所１７２、１７３に傾斜部１７２Ａ、１７３Ａを形成しなくてもかまわない。
【００３２】
また、本実施の形態では、制御部３００によって停止判定部が構成され、制御部３００と回転検知部３３０によって検知手段が構成されている。また、制御部３００とモータ駆動部３１０によって制御手段が構成されている。
【００３３】
また、本実施の形態では、操作部材１８０をスライド移動させた場合に反対方向に作動板１７０を移動させることができるため、操作部材１８０の操作方向と作動板１７０の移動方向とを反対方向に設定する必要がある場合に便利である。
また、操作部材１８０と作動板１７０の間に伝動部材としてのアイドルギア１９０を設け、このアイドルギア１９０によって操作部材１８０の操作方向の力を作動板１７０に伝達するようにしている。したがって、操作部材１８０のラック１８２、アイドルギア１９０、作動板１７０のラック１７４のそれぞれの間に摩擦抵抗力が発生する。この摩擦抵抗力によって操作部材１８０の位置がずれることが防止できるという効果がある。なお、この摩擦抵抗力は、操作部材１８０の操作性を阻害するほど大きなものではないことはもちろんである。
また、操作部材１８０と作動板１７０の間に設ける伝動部材としては、アイドルギアに限定されるものではなく、例えば、操作部材１８０と作動板１７０に両端が連結され、中間部が回動可能に支持されたリンクレバーなどによって構成することもできる。
【００３４】
なお、本実施の形態では、作動板１７０をストッパ部１３５の移動軌跡に対して直交する方向で交差させたが、本発明はこれに限定されるものではなく、作動板１７０はストッパ部１３５の移動軌跡に対して交差するように構成されていればよい。
また、ストッパ部１３５が作動板１７０に当接して駆動環１３０の回転が停止したことを検知する検知手段は、スリット板と光検知器によって構成されるものに限定されない。例えば、ＡＦ用モータ３２０の過負荷を検知することで駆動環の回転が停止したことを検知するようにしてもよいし、ストッパ部１３５が作動板１７０に当接したときに作動するスイッチを設け、このスイッチの動作によって駆動環の回転が停止したことを検知するようにしてもよい。
【００３５】
【発明の効果】
以上の説明で明らかなように本発明は、カメラ本体に取り付けられる固定部材と、前記固定部材上において撮影レンズを保持した状態で前記撮影レンズの光軸方向に移動可能に設けられた移動枠と、前記固定部材によって前記光軸を中心にして回転可能に保持され、回転することで前記移動枠を前記光軸方向に移動させる駆動環と、前記駆動環を回転駆動する駆動手段と、前記駆動環に設けられたストッパ部と、前記ストッパ部の移動軌跡上に位置する規制位置と前記移動軌跡から離れた非規制位置との間を移動可能に設けられた作動板とを備え、前記作動板が前記規制位置に位置した状態で前記駆動環が回転されたときに前記ストッパ部が前記作動板に当接して前記駆動環の回転限界位置を規制することで前記撮影レンズの焦点距離の調整範囲を限定するように構成されたＡＦカメラのフォーカスリミッタ装置において、前記ストッパ部に前記作動板が当接した状態で前記作動板を前記規制位置から前記非規制位置に移動させる際に、前記当接箇所と前記ストッパ部の間に作用する摩擦力を軽減する摩擦力軽減手段を設けた構成とした。そのため、前記ストッパ部に前記作動板が当接した状態で前記作動板を前記規制位置から前記非規制位置に移動させる際に、摩擦力軽減手段によって前記当接箇所と前記ストッパ部の間に作用する摩擦力が軽減されるので、従来と違って作動板を規制位置から非規制位置に移動させる場合の操作性を改善することができる。
【図面の簡単な説明】
【図１】本実施の形態のカメラのフォーカスリミッタ装置を光軸に沿った断面から見た状態を示す説明図である。
【図２】図１を矢視Ａ方向からみた状態を示す要部説明図である。
【図３】図２をＢＢ線断面からみた状態とＣＣ線断面からみた状態を併せて示す説明図である。
【図４】制御系の構成を示すブロック図である。
【図５】実施の形態におけるフォーカスリミッタ装置の動作フローチャートである。
【符号の説明】
１０００  フォーカスリミッタ装置
１００  バヨネット環（固定部材）
１１０  継環（固定部材）
１２０  直進環（固定部材）
１３０  駆動環
１３５  ストッパ部
１５０  移動枠
１７０  作動板
１７２、１７３  当接箇所
１７２Ａ、１７３Ａ  傾斜部
１８０  操作部材
１９０  アイドルギア（伝動部材）
２００  撮影レンズ群
３００  制御部
３１０  モータ駆動部
３２０  ＡＦ用モータ（駆動手段）
３３０  回転検知部（検知信号生成部）
【図１】
0004213277.tif 000002
【図２】
0004213277.tif 000003
【図３】
0004213277.tif 000004
【図４】
0004213277.tif 000005
【図５】
0004213277.tif 000006